【手続補正書】
【提出日】平成23年9月26日(2011.9.26)
【手続補正１】
【補正対象書類名】特許請求の範囲
【補正対象項目名】全文
【補正方法】変更
【補正の内容】
【特許請求の範囲】
【請求項１】
空気差圧システム内にユーザの身体の一部を封入および密封するための構造物であって、該構造物は、
チャンバと、
該チャンバに連結されるユーザシールであって、該ユーザシールは、ユーザの身体を受容および周辺密封することが可能である調節可能な開口部を備えることにより、該ユーザの身体の少なくとも一部が該チャンバ内に密封される、ユーザシールと
を備え、
十分に気密性の接合が、該ユーザの身体と該チャンバとの間に形成されることにより、非ゼロ差圧が該チャンバ内に維持されることが可能であり、該調節可能な開口部は、ユーザの身体サイズの範囲を収容可能である、構造物。
【請求項２】
前記ユーザシールは、ユーザシールの周縁の周囲において、円周方向に分布する複数の拡張スリットを備え、該拡張スリットのうちの１つ以上は、前記ユーザによって、選択的に開閉されて、該ユーザシール内の該開口部のサイズを調節することが可能である、請求項１に記載の構造物。
【請求項３】
差圧システム内での使用のために構成されるユーザシールであって、
該ユーザシールは、差圧システムのチャンバに連結されるように構成され、
該ユーザシールは、ユーザの身体を受容および周辺密封することが可能である開口部を備えることにより、該ユーザの身体の少なくとも一部が該チャンバ内に密封され、
十分に気密性の接合が、該ユーザの身体と該チャンバとの間に形成されることにより、非ゼロ差圧を該チャンバ内に維持可能であり、該ユーザシールは、該ユーザが該チャンバに対してその身体を回転することを許容する一方で、該チャンバと該ユーザの身体との間に該十分に気密性の接合を維持するように構成される、ユーザシール。
【請求項４】
前記チャンバに連結される、外側構造と、
前記ユーザの身体を受容および周辺密封することが可能である開口部を備える、内側構造と
を備え、
該内側構造は、該外側構造と嵌合するように構成され、該内側構造は、該外側構造の回転軸の周りを該外側構造に対して回転するように構成される、請求項３に記載のユーザシール。
【請求項５】
差圧システム内での使用のために構成されるユーザシールであって、
該ユーザシールは、差圧システムのチャンバに連結されるように構成され、
該ユーザシールは、ユーザの身体を受容および周辺密封することが可能である開口部を備えることにより、該ユーザの身体の少なくとも一部が該チャンバ内に密封され、
十分に気密性の接合が、該ユーザの身体と前記チャンバとの間に形成されることにより、非ゼロ差圧を該チャンバ内に維持することが可能であり、該ユーザシールは、該ユーザの身体に係留されるように構成されることにより、該チャンバ内の圧力が変動させられるときに、該ユーザの身体に沿って比較的安定した垂直位置を維持する、ユーザシール。
【請求項６】
ユーザの身体に係留される身体用巻装体を備え、該身体用巻装体は、複数の可撓性フラップを備え、該複数の可撓性フラップは、該ユーザの１つ以上の身体部位の周囲に巻装され、かつ、該身体用巻装体と該ユーザの身体との間に握着を提供するように固着される、請求項５に記載のユーザシール。
【請求項７】
差圧システム内での使用のために構成されるユーザシールであって、
該ユーザシールは、差圧システムのチャンバに連結されるように構成され、
該ユーザシールは、ユーザの身体を受容および周辺密封することが可能である開口部を備えることにより、該ユーザの身体の少なくとも一部が該チャンバ内に密封され、
十分に気密性の接合が、該ユーザの身体と該チャンバとの間に形成されることにより、非ゼロ差圧が該チャンバ内に維持されることが可能であり、該ユーザシールは、該ユーザが該チャンバの軸に沿ってその身体を平行移動することを許容する一方で、該チャンバと該ユーザの身体との間に該十分に気密性の接合を維持するように構成される、ユーザシール。
【請求項８】
ユーザの身体を受容および周辺密封することが可能である開口部を備える、第１の区画と、
前記チャンバに連結される、第２の区画であって、該第１と第２の区画とは、その間に接合を形成するように摺動可能に連結される、第２の区画と
を備え、
十分に気密性の接合が、該ユーザの身体と該第１の区画との間、該第１の区画と該第２の区画との間、および該第２の区画と該チャンバとの間に形成されることにより、該ユーザの身体の少なくとも一部が、該チャンバ内に密封され、非ゼロ差圧を該チャンバ内に維持することが可能であり、該ユーザが該チャンバの軸に沿って平行移動することを許容する一方で、該チャンバ内に非ゼロ差圧を実質的に維持するように、該第１の区画は、該第２の区画に対して平行移動することが可能である、請求項７に記載のユーザシール。
【請求項９】
空気差圧システム内での使用のために構成されるユーザシールであって、該ユーザシールは、
ユーザの身体を受容および周辺密封することが可能である開口部を備える、下方区画と、
該下方区画の上面上に配置されて、該上方区画と下方区画との間に接合を形成し、該上方区画はチャンバに連結される、上方区画と
を備え、
十分に気密性の接合が、該ユーザの身体と該下方区画との間、該上方区画と下方区画との間、および該上方区画と該チャンバとの間に形成されることにより、該ユーザの身体の少なくとも一部が該チャンバ内に密封され、非ゼロ差圧を該チャンバ内で維持することが可能である、ユーザシール。
【請求項１０】
空気差圧システムのための加圧可能なチャンバであって、該チャンバは、
可撓性材料から形成される、膨張可能な封入体と、
該膨張可能な封入体に連結可能である、調節可能なフレームと
を備え、
該調節可能なフレームは、膨張状態にある封入体の幅および高さのうちの少なくとも１つを制御することにより、ユーザの腕および／または脚の動作との該膨張した封入体の干渉を低減し、該ユーザの下半身は該加圧可能なチャンバ内に密封され、該ユーザの上半身は該加圧可能なチャンバの外側にある、チャンバ。
【請求項１１】
前記調節可能なフレームは、少なくとも１つの輪郭形成区画を備えることにより、前記ユーザの腕および／または脚の動作に対応する、請求項１０に記載の加圧可能なチャンバ。
【請求項１２】
前記調節可能なフレームは、可変長を有する少なくとも１つの伸縮部材を備え、該少なくとも１つの伸縮部材の長さは、該フレームの寸法を調節するために変更される、請求項１０に記載の加圧可能なチャンバ。
【請求項１３】
空気差圧システムのためのチャンバであって、該チャンバは、
膨張可能な封入体と、
該封入体の周囲に配置される高さ調節可能なフレームであって、つまずきまたは転倒の場合にユーザの体重を支持可能である、フレームと
を備え、
該高さ調節可能なフレームは、後方垂直支持部および前方垂直支持部を備え、該後方垂直支持部および前方垂直支持部のうちの少なくとも１つは、該後方垂直支持部と該前方垂直支持部との間に延在して、該フレームの高さを調節する該フレームの縦方向横断部材に係合するための高さ調節装置を備える、チャンバ。
【請求項１４】
前記高さ調節装置は、一連の垂直に配列されたスロットを備え、前記フレームの前記縦方向横断部材は、該高さ調節装置の該スロットのうちの１つの中に係合されて、該フレームの高さを調節する、請求項１３に記載のチャンバ。
【請求項１５】
病態に対する個別化された治療プロトコルを生成するシステムであって、
空気差圧システムであって、該空気差圧システムは、該空気差圧システムのチャンバ内に差圧を生じさせる手段を備え、該チャンバは、ユーザの身体の少なくとも一部を受容し、該チャンバ内の圧力を調節することによって該ユーザの身体にかかる力を調節するように構成される、空気差圧システムと、
該ユーザに対して決定された病態関連測定基準に応じて、該チャンバ内の圧力を調節する手段と、
該圧力の調節に関する該病態関連測定基準の依存度に基づいて、該ユーザに対して該空気差圧システムの初期設定を生成する手段と
を備え、該個別化された治療プロトコルは、
該ユーザに対する該初期設定に基づいて生成される、システム。
【請求項１６】
前記病態が肥満である、請求項１５に記載のシステム。
【請求項１７】
病態に対する治療過程を設定または修正するシステムであって、
空気差圧システムであって、該空気差圧システムは、該空気差圧システムのチャンバ内に差圧を生じさせる手段であって、該チャンバは、ユーザの身体の少なくとも一部を受容し、該チャンバ内の圧力を調節することによって該ユーザの身体にかかる力を調節するように構成される、該空気差圧システムと、
該ユーザの病態に基づいて、該空気差圧システムに対する初期設定を予測する手段と、
該チャンバ内の圧力の関数として、該ユーザによって経験される疼痛の指標を受信する手段と
を備え、１つ以上の圧力レベルにおける該疼痛の指標が、該病態に対する治療過程を設定または修正するために示される、システム。
【請求項１８】
前記病態が慢性傷害である、請求項１７に記載のシステム。
【請求項１９】
前記疼痛の指標は、前記ユーザから直接受信される、請求項１７に記載のシステム。
【請求項２０】
前記疼痛の指標は、前記ユーザの生物学的パラメータを感知する１つ以上のセンサから受信される、請求項１７に記載のシステム。
【手続補正２】
【補正対象書類名】明細書
【補正対象項目名】００１６
【補正方法】変更
【補正の内容】
【００１６】
本明細書では、治療方法のさらなる変形例が記載される。いくつかの変形例では、本方法は、空気差圧システムのチャンバ内に差圧を生じさせるステップを備え、チャンバは、ユーザの身体の少なくとも一部を受容し、チャンバ内の圧力を調節することによって、ユーザの身体にかかる力を調節するように構成される。方法は、ユーザの病態に基づいて、空気差圧システムのための初期設定を予測するステップを備える。方法は、チャンバ内の圧力の関数として、ユーザによって経験される疼痛の指標を受信するステップと、１つ以上の圧力レベルにおける疼痛の指標を使用して、病態のための治療過程を設定または修正するステップと、をさらに備える。方法は、いくつかの変形例では、ユーザから疼痛の指標を直接受信するステップを備えてもよい一方、他の変形例では、方法は、ユーザの生物学的パラメータを感知する１つ以上のセンサから疼痛の指標を受信するステップを備えてもよい。方法は、例えば、急性傷害または慢性傷害を治療するために使用されてもよい。
例えば、本発明は以下の項目を提供する。
（項目１）
空気差圧システム内にユーザの身体の一部を封入および密封するための構造物であって、該構造物は、
チャンバと、
該チャンバに連結されるユーザシールであって、該ユーザシールは、ユーザの身体を受容および周辺密封することが可能である調節可能な開口部を備えることにより、該ユーザの身体の少なくとも一部が該チャンバ内に密封される、ユーザシールと
を備え、
十分に気密性の接合が、該ユーザの身体と該チャンバとの間に形成されることにより、非ゼロ差圧が該チャンバ内に維持されることが可能であり、該調節可能な開口部は、ユーザの身体サイズの範囲を収容可能である、構造物。
（項目２）
上記ユーザシールは、ユーザシールの周縁の周囲において、円周方向に分布する複数の拡張スリットを備え、該拡張スリットのうちの１つ以上は、上記ユーザによって、選択的に開閉されて、該ユーザシール内の該開口部のサイズを調節することが可能である、項目１に記載の構造物。
（項目３）
差圧システム内での使用のために構成されるユーザシールであって、
該ユーザシールは、差圧システムのチャンバに連結されるように構成され、
該ユーザシールは、ユーザの身体を受容および周辺密封することが可能である開口部を備えることにより、該ユーザの身体の少なくとも一部が該チャンバ内に密封され、
十分に気密性の接合が、該ユーザの身体と該チャンバとの間に形成されることにより、非ゼロ差圧を該チャンバ内に維持可能であり、該ユーザシールは、該ユーザが該チャンバに対してその身体を回転することを許容する一方で、該チャンバと該ユーザの身体との間に該十分に気密性の接合を維持するように構成される、ユーザシール。
（項目４）
上記チャンバに連結される、外側構造と、
上記ユーザの身体を受容および周辺密封することが可能である開口部を備える、内側構造と
を備え、
該内側構造は、該外側構造と嵌合するように構成され、該内側構造は、該外側構造の回転軸の周りを該外側構造に対して回転するように構成される、項目３に記載のユーザシール。
（項目５）
差圧システム内での使用のために構成されるユーザシールであって、
該ユーザシールは、差圧システムのチャンバに連結されるように構成され、
該ユーザシールは、ユーザの身体を受容および周辺密封することが可能である開口部を備えることにより、該ユーザの身体の少なくとも一部が該チャンバ内に密封され、
十分に気密性の接合が、該ユーザの身体と上記チャンバとの間に形成されることにより、非ゼロ差圧を該チャンバ内に維持することが可能であり、該ユーザシールは、該ユーザの身体に係留されるように構成されることにより、該チャンバ内の圧力が変動させられるときに、該ユーザの身体に沿って比較的安定した垂直位置を維持する、ユーザシール。
（項目６）
ユーザの身体に係留される身体用巻装体を備え、該身体用巻装体は、複数の可撓性フラップを備え、該複数の可撓性フラップは、該ユーザの１つ以上の身体部位の周囲に巻装され、かつ、該身体用巻装体と該ユーザの身体との間に握着を提供するように固着される、項目５に記載のユーザシール。
（項目７）
差圧システム内での使用のために構成されるユーザシールであって、
該ユーザシールは、差圧システムのチャンバに連結されるように構成され、
該ユーザシールは、ユーザの身体を受容および周辺密封することが可能である開口部を備えることにより、該ユーザの身体の少なくとも一部が該チャンバ内に密封され、
十分に気密性の接合が、該ユーザの身体と該チャンバとの間に形成されることにより、非ゼロ差圧が該チャンバ内に維持されることが可能であり、該ユーザシールは、該ユーザが該チャンバの軸に沿ってその身体を平行移動することを許容する一方で、該チャンバと該ユーザの身体との間に該十分に気密性の接合を維持するように構成される、ユーザシール。
（項目８）
ユーザの身体を受容および周辺密封することが可能である開口部を備える、第１の区画と、
上記チャンバに連結される、第２の区画であって、該第１と第２の区画とは、その間に接合を形成するように摺動可能に連結される、第２の区画と
を備え、
十分に気密性の接合が、該ユーザの身体と該第１の区画との間、該第１の区画と該第２の区画との間、および該第２の区画と該チャンバとの間に形成されることにより、該ユーザの身体の少なくとも一部が、該チャンバ内に密封され、非ゼロ差圧を該チャンバ内に維持することが可能であり、該ユーザが該チャンバの軸に沿って平行移動することを許容する一方で、該チャンバ内に非ゼロ差圧を実質的に維持するように、該第１の区画は、該第２の区画に対して平行移動することが可能である、項目７に記載のユーザシール。
（項目９）
空気差圧システム内での使用のために構成されるユーザシールであって、該ユーザシールは、
ユーザの身体を受容および周辺密封することが可能である開口部を備える、下方区画と、
該下方区画の上面上に配置されて、該上方区画と下方区画との間に接合を形成し、該上方区画はチャンバに連結される、上方区画と
を備え、
十分に気密性の接合が、該ユーザの身体と該下方区画との間、該上方区画と下方区画との間、および該上方区画と該チャンバとの間に形成されることにより、該ユーザの身体の少なくとも一部が該チャンバ内に密封され、非ゼロ差圧を該チャンバ内で維持することが可能である、ユーザシール。
（項目１０）
空気差圧システムのための加圧可能なチャンバであって、該チャンバは、
可撓性材料から形成される、膨張可能な封入体と、
該膨張可能な封入体に連結可能である、調節可能なフレームと
を備え、
該調節可能なフレームは、膨張状態にある封入体の幅および高さのうちの少なくとも１つを制御することにより、ユーザの腕および／または脚の動作との該膨張した封入体の干渉を低減し、該ユーザの下半身は該加圧可能なチャンバ内に密封され、該ユーザの上半身は該加圧可能なチャンバの外側にある、チャンバ。
（項目１１）
上記調節可能なフレームは、少なくとも１つの輪郭形成区画を備えることにより、上記ユーザの腕および／または脚の動作に対応する、項目１０に記載の加圧可能なチャンバ。
（項目１２）
上記調節可能なフレームは、可変長を有する少なくとも１つの伸縮部材を備え、該少なくとも１つの伸縮部材の長さは、該フレームの寸法を調節するために変更される、項目１０に記載の加圧可能なチャンバ。
（項目１３）
空気差圧システムのためのチャンバであって、該チャンバは、
膨張可能な封入体と、
該封入体の周囲に配置される高さ調節可能なフレームであって、つまずきまたは転倒の場合にユーザの体重を支持可能である、フレームと
を備え、
該高さ調節可能なフレームは、後方垂直支持部および前方垂直支持部を備え、該後方垂直支持部および前方垂直支持部のうちの少なくとも１つは、該後方垂直支持部と該前方垂直支持部との間に延在して、該フレームの高さを調節する該フレームの縦方向横断部材に係合するための高さ調節装置を備える、チャンバ。
（項目１４）
上記高さ調節装置は、一連の垂直に配列されたスロットを備え、上記フレームの上記縦方向横断部材は、該高さ調節装置の該スロットのうちの１つの中に係合されて、該フレームの高さを調節する、項目１３に記載のチャンバ。
（項目１５）
治療方法であって、
空気差圧システムのチャンバ内に差圧を生じさせることあって、該チャンバは、ユーザの身体の少なくとも一部を受容し、該チャンバ内の圧力を調節することによって該ユーザの身体にかかる力を調節するように構成される、ことと、
該ユーザに対して決定された病態関連測定基準に応じて、該チャンバ内の圧力を調節することと、
該圧力の調節に関する該病態関連測定基準の依存度に基づいて、該ユーザに対して該空気差圧システムの初期設定を生成することと、
該ユーザに対する該初期設定に基づいて、該病態に対する個別化された治療プロトコルを生成することと
を備える、方法。
（項目１６）
肥満を治療するための、項目１５に記載の方法。
（項目１７）
治療方法であって、
空気差圧システムのチャンバ内に差圧を生じさせることであって、該チャンバは、ユーザの身体の少なくとも一部を受容し、該チャンバ内の圧力を調節することによって該ユーザの身体にかかる力を調節するように構成される、ことと、
該ユーザの病態に基づいて、該空気差圧システムに対する初期設定を予測することと、
該チャンバ内の圧力の関数として、該ユーザによって経験される疼痛の指標を受信することと、
１つ以上の圧力レベルにおける該疼痛の指標を使用して、該病態に対する治療過程を設定または修正することと
を備える、方法。
（項目１８）
慢性傷害を治療するための、項目１７に記載の方法。
（項目１９）
上記疼痛の指標は、上記ユーザから直接受信される、項目１７に記載の方法。
（項目２０）
上記疼痛の指標は、上記ユーザの生物学的パラメータを感知する１つ以上のセンサから受信される、項目１７に記載の方法。